(57)【要約】【課題】制御ケーブル保護金網を備えた制御ケーブル保護装置において、制御ケーブルの横滑りを抑えることができる簡易な制御ケーブル保護装置を提供する。【解決手段】制御ケーブルガイド装置１００は、制御ケーブル保護金網取付腕３ａに取り付けられる制御ケーブル保護金網３と、制御ケーブル保護金網３の制御ケーブルに対向する対向面よりも少なくとも一部が制御ケーブル側（１−１）に露出するように昇降方向の上方から下方に向かって制御ケーブル保護金網３に取り付けられた帯状体であって、摩擦係数が大きく、かつ、柔軟性のあるゴム素材で形成されたゴム帯板４とを備えた。制御ケーブルガイド装置１００により、制御ケーブルの横滑りを抑えることができる簡易な装置を提供できる。【選択図】図３
2010189146.tif 000002
【特許請求の範囲】
【請求項１】
帯形状の帯状体であって前記帯状体の一方の平面部が昇降路の昇降路壁に対向するように取り付けられたエレベータ制御ケーブルの前記一方の平面部に対向するように前記昇降路壁と前記エレベータ制御ケーブルとの間において前記昇降路の上方から下方にわたって設置された保護金網と、
前記保護金網の前記エレベータ制御ケーブルに対向する対向面よりも少なくとも一部が前記エレベータ制御ケーブル側に露出するように前記保護金網に取り付けられた帯状体であって、摩擦係数が大きく、かつ、柔軟性のある素材で形成された帯状体の帯状摩擦部材と
を備えたことを特徴とするエレベータ制御ケーブル保護装置。
【請求項２】
前記エレベータ制御ケーブル保護装置は、
複数の前記帯状摩擦部材を備えたことを特徴とする請求項１記載のエレベータ制御ケーブル保護装置。
【請求項３】
前記帯状摩擦部材は、
前記エレベータ制御ケーブル側と前記昇降路壁側とに交互に露出するように前記保護金網に取り付けられたことを特徴とする請求項１または２のいずれかに記載のエレベータ制御ケーブル保護装置。
【請求項４】
前記帯状摩擦部材は、
前記昇降路の上方から下方に向かって前記保護金網に取り付けられたことを特徴とする請求項１〜３のいずれかに記載のエレベータ制御ケーブル保護装置。
【請求項５】
前記帯状摩擦部材は、
ゴム素材で形成されたことを特徴とする請求項１〜４のいずれかに記載のエレベータ制御ケーブル保護装置。
【請求項６】
エレベータ制御ケーブルを保護する保護金網を備えたエレベータ制御ケーブル保護装置において、
前記保護金網は、
ゴムコーティングが施されたことを特徴とするエレベータ制御ケーブル保護装置。
【発明の詳細な説明】
【技術分野】
【０００１】
この発明は、エレベータの制御ケーブルを保護する制御ケーブル保護装置に関する。
【背景技術】
【０００２】
図５は、従来のエレベータの制御ケーブル（以下、制御ケーブルという）を保護する制御ケーブル保護金網の例を示している（例えば特許文献１）。
図５（ａ）は、昇降路１０の上方から昇降路１０を見下ろした平面図である。
図５（ｂ）は、保護金網部分の平面図である。
図５（ｃ）は、図５（ａ）におけるＡ方向矢視である。
図５の状態において、制御ケーブル１は、低温時には横滑りを起こして図５（ａ）に示すＢ方向あるいはＢ方向と反対方向に滑り、昇降路壁７ａに当たり損傷を受けることがある。または、昇降路壁７ａの突起物や昇降路機器等に引っ掛かる危険性があった。
【０００３】
また、特許文献２では、制御ケーブルが昇降路とカゴに吊られたカゴの給電や制御信号の受け渡しをするため、カゴの移動に追従できるようにして、制御ケーブルが振られないようにガイドした金具を昇降路壁に備えている。
【先行技術文献】
【特許文献】
【０００４】
【特許文献１】特開２００９−１２９４４号公報、図４、図５
【特許文献２】特開２００７−２７６９９１号公報
【発明の概要】
【発明が解決しようとする課題】
【０００５】
図５（ａ）では制御ケーブル１が外側（Ｂ方向）に大きく揺れると、制御ケーブル１は制御ケーブル保護金網３の無い昇降路壁に打ち付けられ、あるいは制御ケーブル１が昇降路壁７ａの突起物や昇降路機器等に引っ掛かる危険性があった。
【０００６】
特許文献２に示すものは、制御ケーブルを囲うガードを設け、制御ケーブルをその中に拘束して外側に移動しないようにしている。しかし、制御ケーブルは、カゴの移動により下端のループ部分が移動するために制御ケーブルを囲むガードから出たり、また入り戻るという繰り返し動作がある。このため、ガード入り口を可動に構成して、うまく制御ケーブルを出し入れするのは、非常に難しいといった課題があった。
【０００７】
この発明は、制御ケーブルの横滑りを抑えることができる簡易なエレベータ制御ケーブル保護装置の提供を目的とする。
【課題を解決するための手段】
【０００８】
この発明のエレベータ制御ケーブル保護装置は、
帯形状の帯状体であって前記帯状体の一方の平面部が昇降路の昇降路壁に対向するように取り付けられたエレベータ制御ケーブルの前記一方の平面部に対向するように前記昇降路壁と前記エレベータ制御ケーブルとの間において前記昇降路の上方から下方にわたって設置された保護金網と、
前記保護金網の前記エレベータ制御ケーブルに対向する対向面よりも少なくとも一部が前記エレベータ制御ケーブル側に露出するように前記保護金網に取り付けられた帯状体であって、摩擦係数が大きく、かつ、柔軟性のある素材で形成された帯状体の帯状摩擦部材と
を備えたことを特徴とする。
【発明の効果】
【０００９】
この発明のエレベータ制御ケーブル保護装置により、制御ケーブルの横滑りを抑えることができる簡易な装置を提供できる。
【図面の簡単な説明】
【００１０】
【図１】実施の形態１における昇降路断面図。
【図２】実施の形態１における制御ケーブルガイド装置１００の構成図。
【図３】実施の形態１における制御ケーブル保護金網３へのゴム帯板４の取り付け状態を示す図。
【図４】実施の形態１における制御ケーブル保護金網３へのゴム帯板４の他の取り付け状態を示す図。
【図５】従来の制御ケーブル保護金網を示す図。
【発明を実施するための形態】
【００１１】
実施の形態１．
図１は、昇降路１０の側面の断面図である。実施の形態１の制御ケーブルガイド装置１００（エレベータ制御ケーブル保護装置）は、後述のように、図５で説明した制御ケーブル保護金網３に、例えば、さらにゴム帯板を取り付けた構成である。図１に示すように、制御ケーブルガイド装置１００は、昇降路１０において制御ケーブル１と昇降路壁７ａとの間に設置される。
【００１２】
図２は、図５（ｂ）、（ｃ）に対応する図であり、制御ケーブルガイド装置１００の正面図（図２（ａ））及び平面図（図２（ｂ））である。図２（ａ）は、図５（ｂ）に対応し、図２（ｂ）は、図５（ｃ）に対応に対応する。図２は、図５に対して、制御ケーブル保護金網３にゴム素材、かつ、帯形状のゴム帯板４が複数取り付けられた点が異なっている。図２では、５本のゴム帯板４が取り付けられている場合を示している。
【００１３】
（構造）
制御ケーブルガイド装置１００は、制御ケーブル保護金網３と、複数のゴム帯板４（帯状摩擦部材の一例）とを備えている。
【００１４】
制御ケーブル保護金網３は、制御ケーブル保護金網取付腕３ａに固定されている。図２（ａ）に示すように、制御ケーブル保護金網取付腕３ａは、ガイドレール２に取付腕固定部材（２−１）によって取り付けられている。制御ケーブル保護金網取付腕３ａへの制御ケーブル保護金網３の取り付け状態は図３の説明で後述する。
【００１５】
保護対象の制御ケーブル１は、帯形状の帯状体である。制御ケーブル１は、図５、図１等に示すように、帯状体の一方の平面部（１−１）が、昇降路１０の昇降路壁７ａに対向するように、カゴ下部（５−１）と昇降路機器（１０−１）との間を連結するように取り付けられている。
【００１６】
制御ケーブル保護金網３は、制御ケーブル１の平面部（１−１）に対向して昇降路壁７ａと制御ケーブル１との間において昇降路１０の上方から下方にわたって設置されている（図５、図１、図２）。
【００１７】
図３は、実施の形態１における制御ケーブル保護金網３へのゴム帯板４の取り付け状態を示す図である。図３に示すように、制御ケーブル保護金網３は制御ケーブル保護金網取付腕３ａに対して、取付片（３ａ−１）とネジ（３ａ−２）とによって取り付けられる。また、ゴム帯板４は、制御ケーブル保護金網３の網目を交互に縫うように制御ケーブル保護金網３に取り付けられる。
【００１８】
（ゴム帯板４）
ゴム帯板４は、帯状の帯状体であって、摩擦係数が大きく、かつ、柔軟性のあるゴム素で形成された帯状体である。本実施の形態１ではゴム帯板４としているが、ゴム同様に摩擦係数が大きく柔軟性のある素材であれば、ゴムに限らない。また、ゴム帯板４は、図２（ｂ）、図３に示すように、制御ケーブル保護金網３の制御ケーブル１に対向する対向面（３−１）よりも少なくとも一部が制御ケーブル１側に露出するように昇降路１０の上方から下方に向かって制御ケーブル保護金網３に取り付けられる。すなわち、図３に示すように、ゴム帯板４は、制御ケーブル１側と昇降路壁７ａ側とに交互に露出するように、昇降路１０の上方から下方に向かって制御ケーブル保護金網３に取り付けられている。実施の形態１の制御ケーブルガイド装置１００は５本のゴム帯板４を備えているが、一例である。本数は限定されない。複数のゴム帯板４は、図３に示すように、横に並んで設置される。
【００１９】
以上のように制御ケーブルガイド装置１００は、昇降路１０の制御ケーブル保護金網３の金網部に摩擦係数の大きく柔軟な帯状の素材（ゴム帯板４等）を巻きつけた構造である。ゴム帯板４は摩擦が大きいので、制御ケーブル１が横滑りを起こすことを抑える効果がある。また、簡素な構造のため、既設の保護金網にも容易に対策が可能である。
【００２０】
図２、図３等では、ゴム帯板４が制御ケーブル保護金網３に対して昇降路１０の上方から下方に向かって取り付けられた例を示したが、これは一例である。図４（ａ）に示すように、複数のゴム帯板４を斜め向きに取り付けても良いし、図４（ｂ）に示すように、互いに逆の傾き（右上がりと、右下がり）になるように取り付けても構わない。
【００２１】
また、制御ケーブルガイド装置１００では制御ケーブル保護金網３にゴム帯板４を取り付けた構造であるが、制御ケーブル保護金網３にゴムコーティングの加工を施した構造でも構わない。また、ゴムコーティング形状に凹凸を持たせても構わない。
【００２２】
制御ケーブルガイド装置１００は、複数のゴム帯板４を備えたので、簡易な構成で制御ケーブルの滑り具合を調整することができる。
【００２３】
制御ケーブルガイド装置１００では、ゴム帯板４は制御ケーブル１側と昇降路壁７ａ側とに交互に露出するように制御ケーブル保護金網３に取り付けられたので、ゴム帯板４を制御ケーブル保護金網３に取り付けるための取り付け部品の構成が簡単となる効果がある。
【００２４】
ゴム帯板４を使用するので、入手が容易となる効果がある。
【００２５】
制御ケーブルガイド装置１００では、制御ケーブル保護金網３をゴムコーティングした場合はゴム帯板４が不要となるので、ゴム帯板４の取付工程が削減できる効果がある。
なお、以上の実施の形態では、「摩擦係数の大きく柔軟な帯状の素材」の例として、ゴム素材を説明したが、ゴム素材の他の例として、樹脂を軟質シート状に固めた（ゲル化したもの）低反発材を用いてもよい。
【符号の説明】
【００２６】
１  制御ケーブル、１−１  平面部、２  ガイドレール、２−１  取付腕固定部材、３  制御ケーブル保護金網、３−１  対向面、３ａ  制御ケーブル保護金網取付腕、３ａ−１  取付片、３ａ−２  ネジ、４  ゴム帯板、５  カゴ、５−１  カゴした部、６  釣合オモリ、７ａ，７ｂ  昇降路壁、１０  昇降路、１０−１  昇降路機器、１００  制御ケーブルガイド装置。
【図１】
2010189146.tif 000003
【図２】
2010189146.tif 000004
【図３】
2010189146.tif 000005
【図４】
2010189146.tif 000006
【図５】
2010189146.tif 000007